(57)【要約】【課題】簡易な構成で、短時間に歪（台形歪）の簡易的な補正を行うことが可能なプロジェクタを提供することを目的とする。【解決手段】プロジェクタ１は、投写光学部（投写レンズ１３）にて投写された投写画像の歪を補正するために、光変調部（液晶ライトバルブ１２）に形成された画像を徐々に変形させて投写画像の歪を補正する第１の歪補正部（通常歪補正部３３ａ）と、画像の歪補正量を歪補正データとして複数記憶する記憶部（歪補正量記憶部３４）と、記憶部に記憶された複数の歪補正データに基づいて補正した外形枠画像を重ね合わせて表示し、略矩形の外形枠画像を選択することにより投写画像の歪を補正する第２の歪補正部（枠歪補正部３３ｂ）と、を備える。【選択図】図１
2008275723.tif 000002
【特許請求の範囲】
【請求項１】
光源と、
前記光源から射出された光を変調して画像を形成する光変調部と、
前記光変調部にて形成された前記画像を投写する投写光学部とを、有するプロジェクタであって、
前記投写光学部にて投写された投写画像の歪を補正するために、前記光変調部に形成された前記画像を徐々に変形させて前記投写画像の歪を補正する第１の歪補正部と、
前記画像の歪補正量を歪補正データとして複数記憶する記憶部と、
前記記憶部に記憶された複数の前記歪補正データに基づいて補正した外形枠画像を重ね合わせて表示し、略矩形の前記外形枠画像を選択することにより前記投写画像の歪を補正する第２の歪補正部と、
を備えることを特徴とするプロジェクタ。
【請求項２】
請求項１に記載のプロジェクタであって、
前記第１の歪補正部および前記第２の歪補正部は、垂直方向または水平方向のいずれか一方の前記歪を補正することを特徴とするプロジェクタ。
【請求項３】
請求項１または請求項２に記載のプロジェクタであって、
前記記憶部は、所定の指示信号により、前記歪補正データを記憶することを特徴とするプロジェクタ。
【請求項４】
請求項３に記載のプロジェクタであって、
前記プロジェクタの動作を指示するための指示部を有し、
前記所定の指示信号は、前記指示部の指示入力操作による信号であることを特徴とするプロジェクタ。
【請求項５】
請求項４に記載のプロジェクタであって、
前記指示入力操作は、前記プロジェクタの電源オフ操作であることを特徴とするプロジェクタ。
【請求項６】
請求項３に記載のプロジェクタであって、
前記第１の歪補正部による前記歪の補正終了時からの経過時間を計時するタイマ部を有し、
前記所定の指示信号は、前記タイマ部による計時時間が所定の前記経過時間に達した時に出力する信号であることを特徴とするプロジェクタ。
【請求項７】
請求項１乃至６のいずれか一項に記載のプロジェクタであって、
前記記憶部は、初期的に設定された複数の前記歪補正データを記憶していることを特徴とするプロジェクタ。
【発明の詳細な説明】
【技術分野】
【０００１】
本発明は、プロジェクタに関するものである。
【背景技術】
【０００２】
従来、映像をスクリーン等に投写するプロジェクタにおいて、スクリーンに対してプロジェクタを傾けた状態で投写（あおり投写）した場合に生じる投写映像の歪（台形歪）を補正し、スクリーンに略矩形となる投写を行うことが可能なプロジェクタが知られている。なお、歪の補正操作として、例えば、プロジェクタに歪を補正するための処理部を有し、ユーザは操作ボタンやメニューを複数回操作し、操作に対応して補正された投写映像を視認しながら、ユーザが良いと思える投写映像となるまで徐々に合わせ込み、歪を補正している。
【０００３】
また、プロジェクタの設置角度を検出することで、投写映像の歪（台形歪）を自動的に補正するプロジェクタが特許文献１で開示されている。
【０００４】
【特許文献１】特開２００３−２８３９６３号公報
【発明の開示】
【発明が解決しようとする課題】
【０００５】
しかし、ユーザが操作ボタンやメニューを複数回操作し、操作に対応して補正された投写映像を視認しながら、ユーザが良いと思える投写映像となるまで徐々に合わせ込むことは、歪補正が完了するまでの時間が掛かりすぎるという課題があった。また、特許文献１においては、プロジェクタの設置角度を検出するセンサ等の装置が必要となるため、プロジェクタの製造コストが増加するという課題があった。
【０００６】
本発明は、このような課題を解決するためになされたもので、簡易な構成で、短時間に歪（台形歪）の簡易的な補正を行うことが可能なプロジェクタを提供することを目的とする。
【課題を解決するための手段】
【０００７】
上記目的を達成するために、本発明のプロジェクタは、光源と、光源から射出された光を変調して画像を形成する光変調部と、光変調部にて形成された画像を投写する投写光学部とを、有するプロジェクタであって、投写光学部にて投写された投写画像の歪を補正するために、光変調部に形成された画像を徐々に変形させて投写画像の歪を補正する第１の歪補正部と、画像の歪補正量を歪補正データとして複数記憶する記憶部と、記憶部に記憶された複数の歪補正データに基づいて補正した外形枠画像を重ね合わせて表示し、略矩形の外形枠画像を選択することにより投写画像の歪を補正する第２の歪補正部と、を備えることを要旨とする。
【０００８】
かかるプロジェクタによれば、第１の歪補正部は、画像を徐々に変形させて投写画像の歪を補正する。そして、記憶部は、画像の歪補正量を歪補正データとして複数記憶する。第２の歪補正部は、記憶部に記憶された複数の歪補正データに基づいて補正した外形枠画像を重ね合わせて表示する。そして、略矩形の外形枠画像を選択することにより投写画像の歪を補正する。これにより、ユーザは、投写された複数の外形枠画像の中から１つを選択し、歪を補正するため、センサ等の装置を必要としない簡易な構成を用いて、短時間で簡易的な歪補正を行うことができる。
【０００９】
また、上記プロジェクタにおいて、第１の歪補正部および第２の歪補正部は、垂直方向または水平方向のいずれか一方の歪を補正することが好ましい。
【００１０】
このようなプロジェクタによれば、第１の歪補正部および第２の歪補正部は、垂直方向または水平方向のいずれか一方の歪補正のみに対応する。これにより、歪補正処理および外形枠画像の生成処理の負荷が低減される。また、記憶部に記憶する歪補正データのデータ量が低減される。例えば、プロジェクタをスクリーン等の投写対象面に対して、プロジェクタの投写光軸を垂直になるように机上に載置する場合には、垂直方向の歪を補正することで投写した画像の歪の補正を行うことができる。また、プロジェクタを垂直方向のあおりがないように机上に載置する場合には、水平方向の歪を補正することで投写した画像の歪の補正を行うことができる。
【００１１】
また、上記プロジェクタにおいて、記憶部は、所定の指示信号により、歪補正データを記憶することが好ましい。
【００１２】
このようなプロジェクタによれば、記憶部は、所定の指示信号によって、歪補正量を歪補正データとして記憶する。これにより、記憶部は、所定の指示信号が入力された場合に、歪補正データを記憶することができる。よって、第２の歪補正部は、所定の指示信号が入力された時点での歪補正データに基づき、この歪補正データの外形枠を追加して重ね合わせた外形枠画像を表示し、略矩形の外形枠画像を選択することにより投写画像の歪を補正することができる。
【００１３】
また、上記プロジェクタにおいて、プロジェクタの動作を指示するための指示部を有し、所定の指示信号は、指示部の指示入力操作による信号であることが好ましい。
【００１４】
このようなプロジェクタによれば、記憶部は、指示部の指示入力操作による信号によって、歪補正量を歪補正データとして記憶する。ここで、指示部の指示入力操作とは、ユーザによる所定キーの操作とすると、ユーザは所望のタイミングで歪補正データを記憶させることができる。
【００１５】
また、上記プロジェクタにおいて、指示入力操作は、プロジェクタの電源オフ操作であることが好ましい。
【００１６】
このようなプロジェクタによれば、記憶部は、プロジェクタの電源オフ操作によって、歪補正量を歪補正データとして記憶する。これにより、プロジェクタの電源オフ操作を行うことで、特別な操作を必要とせず、記憶部は、その時まで実施されていた歪補正量を歪補正データとして記憶することができる。
【００１７】
また、上記プロジェクタにおいて、第１の歪補正部による歪の補正終了時からの経過時間を計時するタイマ部を有し、所定の指示信号は、タイマ部による計時時間が所定の経過時間に達した時に出力する信号であることが好ましい。
【００１８】
このようなプロジェクタによれば、タイマ部は、第１の歪補正部による歪の補正終了時からの経過時間を計時し、記憶部は、所定の経過時間に達した時に、歪補正量を歪補正データとして記憶する。これにより、特別な操作を必要とせず、記憶部は、所定の経過時間の使用実績がある歪補正データを記憶することができる。
【００１９】
また、上記プロジェクタにおいて、記憶部は、初期的に設定された複数の歪補正データを記憶していることが好ましい。
【００２０】
このようなプロジェクタによれば、記憶部は、初期的に設定された複数の歪補正データ（以降、「歪補正初期データ」と呼ぶ）を記憶している。第２の歪補正部は、歪補正初期データに基づいて補正した外形枠画像を重ね合わせて表示し、略矩形の外形枠画像を選択することにより投写画像の歪を補正することができる。よって、予め、歪補正初期データとしていくつかの歪補正データを備えることで、簡易的な歪補正を短時間で行うことができる。
【発明を実施するための最良の形態】
【００２１】
以下、本発明の実施形態について説明する。
【００２２】
（実施形態）
図１は、本実施形態に係るプロジェクタの概略構成を示すブロック図である。図１を使用して、プロジェクタ１の内部構成について説明する。
【００２３】
プロジェクタ１は、画像の投写を行う画像投写部１０と、制御部２０と、指示部としての入力操作部２１と、タイマ部２２と、画像信号入力部３０と、外形枠画像生成部３１と、画像信号処理部３２と、台形歪補正部３３と、記憶部としての歪補正量記憶部３４と、外形枠選択部３５とを備えている。また、図１には、プロジェクタ１の外部に、スクリーンＳＣを図示している。
【００２４】
画像投写部１０は、超高圧水銀ランプやメタルハライドランプ等の放電型光源やＬＥＤ（Light Emitting Diode）、レーザ等の固体型光源からなる光源１１と、光源１１から射出される光を変調する光変調部としての液晶ライトバルブ１２と、液晶ライトバルブ１２から射出される変調光をスクリーンＳＣ等に拡大投写する投写光学部としての投写レンズ１３と、液晶ライトバルブ１２を駆動するライトバルブ駆動部１４とを備えている。
【００２５】
図２は、液晶ライトバルブを示す正面図である。液晶ライトバルブ１２は、一対の透明基板間に液晶が封入された液晶パネル等によって構成される。図２に示すように、各透明基板の内面には、液晶に対して微小領域（画素１２ｐ）毎に駆動電圧を印加可能な透明電極（画素電極）が、矩形の領域（画素領域１２ａ）内にマトリクス状に形成されている。ライトバルブ駆動部１４の駆動によって、液晶ライトバルブ１２の各画素１２ｐに画像信号に応じた駆動電圧が印加されると、各画素１２ｐは、画像信号に応じた光透過率で光源光を透過させる。
【００２６】
光源１１から射出された光は、この液晶ライトバルブ１２を透過することによって変調され、変調後の光が投写レンズ１３によって投写されることにより、スクリーンＳＣ等に画像信号に応じた画像が表示される。
【００２７】
なお、図では省略しているが、画像投写部１０は、光の３原色である赤（Ｒ）、緑（Ｇ）、青（Ｂ）の各色光用に３つの液晶ライトバルブ１２を備えている。光源１１から射出される光は、図示しない光分離光学系によって前記３つの色光に分離された後、それぞれ各色光用の液晶ライトバルブ１２に入射する。液晶ライトバルブ１２を透過した各色光は、図示しない光合成光学系（ダイクロイックプリズム等）によって画素毎に合成されてカラー画像を表す画像光となり、投写レンズ１３から投写される。
【００２８】
図１に戻って、プロジェクタ１の動作を説明する。
制御部２０は、ＣＰＵ（Central Processing Unit）、フラッシュメモリ等からなるＲＯＭ（Read Only Memory）、各種データの一時記憶等に用いられるＲＡＭ（Random Access Memory）等（いずれも図示せず）を備え、コンピュータとして機能するものである。制御部２０は、ＣＰＵがＲＯＭに記憶されている制御プログラムに従って動作することにより、プロジェクタ１の動作を統括制御する。
【００２９】
入力操作部２１は、プロジェクタ１に対して各種指示を行うための複数のキー等を備えている。入力操作部２１が備えるキーには、電源のオン／オフを行うための電源キーや、各種設定を行うためのメニュー画面の表示／非表示を切り換えるメニューキー、入力ソースを切り換えるためのソースキー、台形歪の補正を指示するための台形歪補正キー、後述する簡易台形歪補正キー、台形歪補正量記憶キー、メニュー画面で表示された選択用候補を選択する矢印キー、選択した候補を決定する決定キー等がある。ユーザが入力操作部２１を操作すると、入力操作部２１は、ユーザの操作内容に応じた操作信号を制御部２０に出力する。なお、入力操作部２１として、遠隔操作が可能なリモートコントローラ（図示せず）を用いた構成としてもよい。この場合、リモートコントローラは、ユーザの操作内容に応じた赤外線等の操作信号を発し、リモコン信号受信部（図示せず）がこれを受信して制御部２０に伝達してもよい。
【００３０】
タイマ部２２は、制御部２０からの指示によって、様々な計時処理を行う。例えば、第１の歪補正部による歪の補正終了時からの経過時間を計時し、所定の経過時間に達した時に、制御部２０に通知する。
【００３１】
画像信号入力部３０には、パーソナルコンピュータや映像再生装置等、外部の画像供給装置（図示せず）とケーブルを介した接続を行うための各種接続端子が備えられ、画像供給装置から画像信号が入力される。
【００３２】
画像信号処理部３２は、画像信号に応じたデジタルの画像データを生成する。また、後述する簡易台形歪補正選択状態では、外形枠画像生成部３１から外形枠画像データを入力する。さらに、画像信号処理部３２は、画像データに対して各種データ処理（画像処理）を施し、処理後の画像データを台形歪補正部３３に出力する。なお、画像信号処理部３２から出力される画像データは、色光別に生成されており、各液晶ライトバルブ１２の画素領域１２ａ内のすべての画素１２ｐに対応する複数の画素値によって構成されている。画素値とは、対応する画素１２ｐの光透過率を定めるものであり、この画素値によって、各画素１２ｐから射出する光の強弱（階調）が規定される。
【００３３】
外形枠画像生成部３１は、制御部２０からの指示により、歪補正量記憶部３４に記憶された歪補正データを入力し、その歪補正データに基づき台形歪を補正した場合の画像の外形枠画像データを生成する。さらに、複数の歪補正データの外形枠の画像データを複数重ね合わせた外形枠画像データを生成する。また、外形枠画像生成部３１は、外形枠選択部３５から選択中の外形枠の情報を入力し、その外形枠の色を他の外形枠と変更した外形枠画像データを生成する。このように生成した外形枠画像データは、画像信号処理部３２へ出力する。
【００３４】
台形歪補正部３３は、第１の歪補正部としての通常歪補正部３３ａおよび第２の歪補正部としての枠歪補正部３３ｂを備えている。台形歪補正部３３は、あおり投写を行う場合、即ちスクリーンＳＣに対してプロジェクタ１を上向きに傾けた状態で画像を投写する場合に、投写画像があおり方向に拡大してしまう歪（台形歪）を抑制するために、入力される画像データの補正（台形歪補正）を行う。通常歪補正部３３ａを用いた通常の台形歪補正の場合、ユーザが入力操作部２１の台形歪補正キーを操作すると、制御部２０は、台形歪補正部３３に対して台形歪補正の実施を指示し、通常歪補正部３３ａは台形歪補正を実施する。
【００３５】
また、枠歪補正部３３ｂを用いた簡易台形歪補正（後述）の場合は、台形歪補正部３３は、制御部２０から指示により、外形枠選択部３５から選択決定された外形枠の情報を入力し、その外形枠に対応する歪補正データを歪補正量記憶部３４から入力する。そして、枠歪補正部３３ｂは、その歪補正データに基づき、台形歪補正を実施する。なお、台形歪補正部３３は、後述する簡易台形歪補正選択状態では、台形歪補正は実施しない。
【００３６】
台形歪補正とは、画像データから画素値の間引きを行って、あおり方向に向かうほど投写画像を縮小させるものであり、台形歪補正部３３は、補正後の画像データをライトバルブ駆動部１４に出力する。なお、台形歪補正を行わない場合には、画像信号処理部３２から出力される画像データが、そのままライトバルブ駆動部１４に出力される。ライトバルブ駆動部１４が、入力される画像データ、即ち画素１２ｐ毎の画素値に従って液晶ライトバルブ１２を駆動すると、画像データに応じた画像がスクリーンＳＣに投写される。
【００３７】
次に、台形歪補正部３３による台形歪補正について、図３、図４を用いて説明する。
図３は、台形歪を説明するための説明図であり、画像データに対して台形歪補正を施していない状態を示す図である。ここで、同図（ａ）は、液晶ライトバルブを光入射面側から見た正面図、同図（ｂ）は、プロジェクタが水平に投写を行う様子を示す側面図、同図（ｃ）は、そのときにスクリーンに表示される投写画像を示す正面図である。また、同図（ｄ）は、プロジェクタがあおり投写を行う様子を示す側面図であり、同図（ｅ）は、そのときにスクリーンに表示される投写画像を示す正面図である。
【００３８】
図４は、台形歪補正を説明するための説明図であり、同図（ａ）は、液晶ライトバルブ１２を光入射面側から見た正面図、同図（ｂ）は、あおり投写を行う場合にスクリーンＳＣに表示される投写画像を示す正面図である。
【００３９】
なお、図３において、液晶ライトバルブ１２に向かって左右方向（水平方向の左右）を±ｘ方向、上下方向（垂直方向の上下）を±ｙ方向とし、スクリーンＳＣに向かって左右方向（水平方向の左右）を±Ｘ方向、上下方向（垂直方向の上下）を±Ｙ方向とする。ここで、スクリーンＳＣのＸ方向およびＹ方向は、それぞれ液晶ライトバルブ１２のｘ方向、およびｙ方向に対応するものであり、例えば、画素領域１２ａの右上（＋ｘ，＋ｙ側）の画素を透過した光は、スクリーンＳＣの右上（＋Ｘ，＋Ｙ側）に投写される。
【００４０】
また、図３、図４において、画素領域１２ａや投写画像Ｇａ内に示した格子状の模様は、画素領域１２ａに形成された画像と、スクリーンＳＣに投写された投写画像Ｇａとの対応を示すために補助的に付加した線であり、実際にこのような模様を表示することを意味するものではない。
【００４１】
図３（ａ）に示すように、台形歪補正を行わない場合には、液晶ライトバルブ１２は、画像信号処理部３２から入力される画像データに基づいた画像（入力画像Ｇｉ）を画素領域１２ａの全体で形成する。ここで、図３（ｂ）、（ｃ）に示すように、プロジェクタ１が水平に設置され、スクリーンＳＣに対してあおりのない投写を行う場合には、スクリーンＳＣに表示される投写画像Ｇａ（入力画像Ｇｉ）は、画素領域１２ａと同じ矩形状となる。
【００４２】
一方、図３（ｄ）、（ｅ）に示すように、プロジェクタ１をスクリーンＳＣに対して傾けて設置し、上方（＋Ｙ方向）に向けてあおり投写を行う場合には、スクリーンＳＣに表示される投写画像Ｇａは、あおり方向（＋Ｙ方向）に向かうほど、±Ｘ方向および＋Ｙ方向に拡大されて台形状に歪む。本実施形態では、このように＋Ｙ方向（垂直方向）のあおり投写を行った場合の台形歪補正について記載する。
【００４３】
台形歪補正部３３は、画像信号処理部３２から入力される画像データから画素値の間引きを行い、補正を行わない場合に比べて、投写画像Ｇａがあおり方向（＋Ｙ方向）に向かうほど縮小するような補正を施す。具体的には、図４（ａ）、（ｂ）に示すように、液晶ライトバルブ１２の画素領域１２ａに、投写画像Ｇａと反対向きの台形形状、即ちあおり方向（＋ｙ方向）に向かうほど横幅が縮小する形状の画像形成領域１２ｉを設定する。さらに、画像データから、あおり投写による拡大の程度が高い位置ほど多くの画素値を間引くことにより、この画像形成領域１２ｉ内に入力画像Ｇｉを形成する。
【００４４】
また、台形歪補正部３３は、画像形成領域１２ｉの外側の領域１２ｎに含まれる各画素１２ｐの光透過率が最小となるように画像データを補正する。この結果、図４（ｂ）に示すように、あおり投写による入力画像Ｇｉのゆがみが補正されるとともに、領域１２ｎに対応する投写画像Ｇａ内の領域Ｇｎには光がほとんど照射されないことから、入力画像Ｇｉは、正規の形状（矩形状）でスクリーンＳＣに表示される。なお、画素値の間引きに伴う階調情報の欠落を補うために、間引きの対象となる画素に近接する画素の画素値を、間引かれる画素値に応じて補正することが望ましい。
【００４５】
図１に戻って、歪補正量記憶部３４は、フラッシュメモリ等の不揮発性メモリにより構成されている。歪補正量記憶部３４は、台形歪補正部３３で補正した歪補正量を、制御部２０からの指示により、歪補正データとして記憶する。本実施形態では、４つの歪補正データを記憶可能としているが、メモリの容量に応じて歪補正データを増減してもよい。また、歪補正量記憶部３４は、前述した歪補正データとは別に、初期的に設定された複数の歪補正データとして、４つの歪補正初期データを予め記憶しているが、４つ以上記憶していてもよい。
【００４６】
図５は、歪補正量記憶部の領域構成図である。図５に示すように、歪補正量記憶部３４としての歪補正量記憶領域Ｍ１の先頭から４つのデータ領域には、歪補正データ１〜歪補正データ４を記憶する。歪補正データ１〜歪補正データ４には、所定の指示信号により、歪補正量を角度データとして記憶する。ここで、歪補正データ１〜歪補正データ４は、所定の指示信号による記憶が行われる以前には、データが記憶されていないことを示す値（例えば、ＦＦｈ（１６進数））が記憶されている。
【００４７】
また、歪補正初期データＡ〜歪補正初期データＤには、固定値として歪補正量の初期値が角度データとして予め記憶されている。本実施形態では、歪補正初期データＡ〜歪補正初期データＤには、歪補正量（台形歪補正の角度）が５度のときの角度データから２０度のときの角度データまで、５度きざみの歪補正データを４つ記憶している。
【００４８】
図１に戻って、外形枠選択部３５には、後述する簡易台形歪補正選択状態でユーザが入力操作部２１のキーを操作すると、制御部２０を介して入力キー情報が入力される。外形枠選択部３５は、入力キー情報に基づいて外形枠を選択し、外形枠画像生成部３１および台形歪補正部３３に選択された外形枠の情報を出力する。
【００４９】
次に、本実施形態における台形歪補正について説明する。本実施形態のプロジェクタ１では、台形歪補正を実施するための手段として、通常の台形歪補正と簡易台形歪補正とを備えている。通常の台形歪補正とは、入力操作部２１が備える台形歪補正キーを操作することで、通常歪補正部３３ａが、プロジェクタ１に設定されている歪補正量の単位角度ずつ、徐々に変形させて台形歪補正を行うものである。
【００５０】
一方、簡易台形歪補正とは、歪補正量記憶部３４が記憶している歪補正データに対応した外形枠画像を重ね合わせて表示し、ユーザがその中から略矩形の外形枠画像を選択し、決定することで、選択的に台形歪補正を行うものである。以降では、簡易台形歪補正の動作について説明する。
【００５１】
図６は、簡易台形歪補正選択状態を説明するための説明図であり、同図（ａ）は、液晶ライトバルブにおける外形枠画像を光入射面側から見た正面図、同図（ｂ）は、スクリーンに表示される外形枠画像を示す正面図である。図６を用いて、簡易台形歪補正選択状態について説明する。
【００５２】
簡易台形歪補正選択状態では、歪補正量記憶部３４に記憶された複数の歪補正データに対応した外形枠画像データが、外形枠画像生成部３１により生成される。そして、画像信号処理部３２を介して台形歪補正部３３に入力される。簡易台形歪補正選択状態では、台形歪補正部３３は、入力画像の台形歪補正は行わず、外形枠画像データのみを出力する。そして、外形枠画像データは、ライトバルブ駆動部１４を介して、液晶ライトバルブ１２の画素領域１２ａに外形枠画像として形成される。
【００５３】
図６（ａ）では、歪補正量記憶領域Ｍ１の４つの歪補正データ１〜歪補正データ４に対応して、外形枠Ｗ１，Ｗ２，Ｗ３，Ｗ４を重ねて外形枠画像を生成したときの液晶ライトバルブ１２の状態を表している。また、このときのスクリーンＳＣに投写される外形枠画像を図６（ｂ）に表している。スクリーンＳＣ上の外形枠ＷＳ１〜ＷＳ４は、それぞれ、外形枠Ｗ１〜Ｗ４に対応している。ユーザは、スクリーンＳＣに投写された外形枠画像の外形枠ＷＳ１〜ＷＳ４から、所望の外形枠を１つ選択する。
【００５４】
図７は、入力画像投写状態および簡易台形歪補正選択状態の状態遷移図である。図７を用いてプロジェクタ１の状態遷移について説明する。入力画像投写状態ＳＴ１０は、プロジェクタ１が外部から入力された画像信号を投写している状態である。入力画像投写状態ＳＴ１０において、入力操作部２１に備えられた台形歪補正キーが入力されると、入力画像信号を投写したまま、通常の台形歪補正を行う。
【００５５】
入力画像投写状態ＳＴ１０において、入力操作部２１に備えられた簡易台形歪補正キーが入力されると、後述する簡易台形歪補正遷移処理を行い、簡易台形歪補正選択状態ＳＴ１１に遷移する。簡易台形歪補正選択状態ＳＴ１１において、矢印キー等が入力されると、外形枠の選択候補を変更し、選択候補の外形枠の色を変更する。また、決定キーが入力されると、選択中の外形枠に対応する歪補正データに基づいて台形歪補正を実施し、入力画像投写状態ＳＴ１０に遷移する。
【００５６】
次に、本実施形態のプロジェクタ１の動作について説明する。
図８は、プロジェクタの簡易台形歪補正への遷移処理のフローチャートである。プロジェクタ１が入力画像投写状態ＳＴ１０のときに、入力操作部２１に備えられた簡易台形歪補正キーが操作されると、操作信号が制御部２０に入力され、制御部２０は、簡易台形歪補正選択状態ＳＴ１１への遷移処理を行うように指示制御を行う。当フローチャートを用いて、簡易台形歪補正選択状態ＳＴ１１への遷移処理について説明する。
【００５７】
制御部２０からの指示により、外形枠画像生成部３１は、歪補正量記憶部３４の歪補正量記憶領域Ｍ１の先頭から歪補正データの読み出しを行う（ステップＳ１００）。次に、外形枠画像生成部３１は、読み出した領域に歪補正データが記憶されていたか否かを判断する（ステップＳ１０１）。つまり、読み出した歪補正データが有効な値か否かを判断する。歪補正データが記憶されていれば（ステップＳ１０１：ＹＥＳ）、外形枠画像生成部３１は、読み出した歪補正データに対応した外形枠画像データを生成する（ステップＳ１０２）。このときの外形枠とは、読み出した歪補正データに基づき、台形歪を補正した場合の画像の外形枠を示す。
【００５８】
次に、外形枠画像生成部３１は、歪補正量記憶部３４の歪補正量記憶領域Ｍ１内の前回読み出した歪補正データ領域の次の領域から歪補正データの読み出しを行う（ステップＳ１０３）。次に、外形枠画像生成部３１は、読み出した領域に歪補正データが記憶されていたか否かを判断する（ステップＳ１０４）。歪補正データが記憶されていれば（ステップＳ１０４：ＹＥＳ）、外形枠画像生成部３１は、読み出した歪補正データに対応した外形枠の画像データをステップＳ１０２で生成した外形枠画像データに追加する（ステップＳ１０５）。そして、ステップＳ１０３に戻り、全ての歪補正データの外形枠画像データを生成するまでループする。
【００５９】
全ての歪補正データの外形枠画像データを生成し、ステップＳ１０４において、歪補正データが記憶されていないと判断した場合（ステップＳ１０４：ＮＯ）、外形枠選択部３５は、歪補正量が最小となる外形枠を選択候補（デフォルトの選択候補）とし、外形枠画像生成部３１は、選択状態を表すために、選択候補の外形枠を他の外形枠と異なる色に変更する（ステップＳ１０７）。
【００６０】
次に、台形歪補正部３３は、実施していた台形歪補正を解除する（ステップＳ１０８）。そして、画像信号処理部３２は、出力する投写画像データを外形枠画像データに切り換える（ステップＳ１０９）。
【００６１】
また、ステップＳ１０１において、歪補正データが記憶されていないと判断した場合（ステップＳ１０１：ＮＯ）、外形枠画像生成部３１は、歪補正初期データに基づき、台形歪を補正した場合の外形枠画像データを生成する（ステップＳ１０６）。次に、外形枠選択部３５は、歪補正量が最小となる外形枠を選択候補（デフォルトの選択候補）とし、外形枠画像生成部３１は、選択状態を表すために、選択候補の外形枠を他の外形枠と異なる色に変更する（ステップＳ１０７）。次に、台形歪補正部３３は、台形歪補正を解除する（ステップＳ１０８）。そして、画像信号処理部３２は、出力する投写画像データを外形枠画像データに切り換える（ステップＳ１０９）。
【００６２】
プロジェクタ１は、以上の処理を実行することで、入力画像投写状態ＳＴ１０から簡易台形歪補正選択状態ＳＴ１１に遷移する。
【００６３】
図９は、簡易台形歪補正選択状態ＳＴ１１においてキー操作を行われたときの処理のフローチャートである。当フローチャートを用いて、簡易台形歪補正選択状態ＳＴ１１における、ユーザによる入力操作部２１のキー入力操作が行われたときの処理を説明する。
【００６４】
制御部２０は、入力操作部２１からのキー入力信号を待つ（ステップＳ２００）。キー入力信号が入力されなければ、入力されるまで待ち続ける（ステップＳ２００：入力無し）。ユーザがキー入力を行うと、入力操作部２１から制御部２０に操作信号が入力される（ステップＳ２００：入力有り）。次に、制御部２０は、入力キー（操作信号）の種類を判別する（ステップＳ２０１）。入力キーが、無効なキーの場合（ステップＳ２０１：無効キー）、ステップＳ２００のキー入力待ちに戻る。入力キーが、矢印キー等の外形枠の選択候補の変更を意図したキーの場合は、外形枠選択部３５は、外形枠の選択候補を次の候補に変更する（ステップＳ２０２）。そして、ステップＳ２００のキー入力待ちに戻る。
【００６５】
ステップＳ２０１において、入力キーが決定キー等の外形枠の選択候補の決定を意図したキーの場合は（ステップＳ２０１：決定キー）、台形歪補正部３３の枠歪補正部３３ｂは、外形枠選択部３５によって選択された外形枠に対応する歪補正データを歪補正量記憶部３４の歪補正量記憶領域Ｍ１から読み出す（ステップＳ２０３）。次に、枠歪補正部３３ｂは、歪補正データに基づいて台形歪補正を実施する（ステップＳ２０４）。次に、画像信号処理部３２は、出力する投写画像データを外部入力画像データに切り換える（ステップＳ２０５）。
【００６６】
プロジェクタ１は、以上の処理を実行することで、簡易台形歪補正選択状態ＳＴ１１から入力画像投写状態ＳＴ１０に遷移する。
【００６７】
図１０は、歪補正データの記憶処理のフローチャートである。当フローチャートは、入力操作部２１等からの入力信号を、制御部２０が歪補正データを記憶するための所定の指示信号として入力した後の、歪補正量記憶部３４に歪補正データを記憶する処理を表している。
【００６８】
入力画像投写状態ＳＴ１０において、ユーザが入力操作部２１に備えられた台形歪補正量記憶キーの操作をした場合は、入力操作部２１から制御部２０へ所定の指示信号として操作信号が入力される。また、ユーザがプロジェクタの電源オフ操作をした場合も、入力操作部２１から制御部２０へ所定の指示信号として操作信号が入力される。また、通常歪補正部３３ａによる歪の補正終了時から所定の経過時間が経過した場合には、タイマ部２２から制御部２０へ所定の指示信号として時間経過信号が入力される。なお、本実施形態では、所定の経過時間を１時間としている。
【００６９】
これらの信号が入力されると、制御部２０は、台形歪補正部３３から、歪補正の情報を入力し、現在、台形歪補正が行われているか否かを判断する（ステップＳ３００）。台形歪補正が行われていなければ（ステップＳ３００：ＮＯ）、歪補正データを記憶する必要はないため、当フローチャートを終了する。
【００７０】
ステップＳ３００において、台形歪補正が行われていれば（ステップＳ３００：ＹＥＳ）、制御部２０は、歪補正量記憶部３４に指示を出し、歪補正量記憶部３４は、現在の歪補正データが、既に記憶されているか否かを判断する（ステップＳ３０１）。現在の歪補正データが既に記憶されていれば（ステップＳ３０１：ＹＥＳ）、歪補正データを記憶する必要はないため、当フローチャートを終了する。
【００７１】
現在の歪補正データがまだ記憶されていなければ（ステップＳ３０１：ＮＯ）、歪補正量記憶部３４は、現在の歪補正データを記憶する（ステップＳ３０２）。なお、本実施形態では、歪補正データを記憶する際に、既に歪補正量記憶領域Ｍ１に４つ歪補正データが記憶済みであった場合、最古の歪補正データを消去し、空いた領域に今回の歪補正データを書き込む。
【００７２】
ここで、歪補正データには、記憶した順番を管理する管理番号を付設し、新たに歪補正データが記憶されたときにその管理番号を更新することで、記憶した順番を判断することができる。よって、最古の歪補正データがどれかを判断することもできる。また、プロジェクタ１は、時計機能部を有するものとし、歪補正データを記憶する際に、時間情報を併せて記憶するものとしてもよい。こうすれば、最古の歪補正データを判断することができる。
【００７３】
以上で、歪補正データの記憶処理が完了し、当フローチャートは終了する。なお、記憶された歪補正データは、次回の簡易台形歪補正において、外形枠の選択候補として使用される。
【００７４】
上述した実施形態によれば、以下の効果が得られる。
（１）プロジェクタ１は、歪補正データを複数記憶し、簡易台形歪補正選択状態において、記憶した複数の歪補正データに対応した外形枠を重ね合わせた外形枠画像データを生成する。そして、ユーザが、外形枠画像データに基づいて投写される外形枠画像から１つの外形枠を選択することで、プロジェクタ１は、選択された外形枠画像に対応する歪補正データに基づいて、投写画像の歪を補正する。これにより、ユーザは、投写された複数の外形枠画像の中から最も矩形に近いものを目視で選択し、歪を補正することができるため、短時間で簡易的な歪補正を行うことができる。
【００７５】
（２）また、プロジェクタ１は、垂直方向（＋Ｙ方向）の歪補正のみに対応する。これにより、台形歪補正部３３による歪補正処理および、外形枠画像生成部３１による外形枠画像データ生成処理の負荷が低減される。また、垂直方向および水平方向の歪補正の両方に対応する場合と比較して、１方向だけの歪補正データを記憶すればよいため、歪補正量記憶部３４に記憶する歪補正データのデータ量が低減される。
【００７６】
（３）また、プロジェクタ１は、ユーザによる入力操作部２１の台形歪補正量記憶キーの操作信号によって、歪補正量を歪補正データとして記憶する。これにより、ユーザは所望のタイミングで歪補正データを記憶させることができる。よって、プロジェクタ１は、この歪補正データに基づいた外形枠を選択候補とした簡易台形歪補正を実施することが可能となる。
【００７７】
（４）また、プロジェクタ１は、ユーザによるプロジェクタ１の電源オフ操作によって、歪補正量を歪補正データとして記憶する。これにより、プロジェクタ１の電源オフ操作を行うことで、特別な操作をしなくても、その時まで実施されていた歪補正量を歪補正データとして記憶することができる。よって、プロジェクタ１は、この歪補正データに基づいた外形枠を選択候補とした簡易台形歪補正を実施することが可能となる。
【００７８】
（５）また、プロジェクタ１は、通常歪補正部３３ａによる歪の補正終了時からの経過時間を計時し、所定の経過時間に達した時に、歪補正量を歪補正データとして記憶する。これにより、特別な操作をしなくても所定の経過時間の使用実績のある歪補正データを記憶することができる。よって、プロジェクタ１は、この歪補正データに基づいた外形枠を選択候補とした簡易台形歪補正を実施することが可能となる。
【００７９】
（６）また、プロジェクタ１は、歪補正データを記憶する際に、既に歪補正量記憶領域Ｍ１の全て（４つ）の領域に歪補正データが記憶済みであった場合、最古の歪補正データを消去し、空いた領域に今回の歪補正データを書き込む。これにより、簡易台形歪補正を実施する際に、直近で使用した歪補正データに基づいた外形枠画像が投写されて、外形枠を選択することができるため、直近の歪補正データを優先的に使用したいユーザにとって有益である。
【００８０】
（７）また、プロジェクタ１は、予め歪補正初期データを記憶している。これにより、歪補正初期データに対応した外形枠画像データを生成することができる。よって、この歪補正初期データに基づいて簡易台形歪補正を実施することが可能となる。よって、歪補正量記憶領域Ｍ１に歪補正データが記憶されていない場合でも、簡易台形歪補正を実施することができる。また、微調整を必要としないユーザにとっては、簡易的な歪補正を短時間で行うことが可能となる。
【００８１】
以上、本発明の実施形態について説明したが、本発明はこうした実施形態に何ら限定されるものではなく、本発明の要旨を逸脱しない範囲において様々な形態で実施し得ることは勿論である。以下に変形例を述べる。
【００８２】
（変形例１）上記実施形態では、プロジェクタ１が垂直方向（＋Ｙ方向）にあおり投写を行う場合の例を示したが、他の方向（−Ｙ方向、±Ｘ方向（水平方向））にあおり投写を行う場合にも、本発明を適用することが可能である。この場合には、例えば、各方向（±Ｘ方向、±Ｙ方向）に対応する４つの台形歪補正キーを備えて、台形歪補正部３３は、操作されたキーに対応する方向の台形歪を補正するようにすればよい。そして、歪補正量記憶部３４の歪補正量記憶領域Ｍ１には、±Ｘ方向および±Ｙ方向のそれぞれに対応する歪補正データとして角度データを保存する。また、外形枠画像生成部３１は、±Ｘ方向および±Ｙ方向の歪補正データに対応した外形枠画像データを生成することで、簡易台形歪補正を実施することができる。こうすれば、プロジェクタ１を垂直方向以外の方向にもあおり投写を行う場合に対処可能となる。
【００８３】
（変形例２）上記実施形態では、歪補正量記憶部３４に記憶する歪補正データは、角度データとしたが、台形歪を補正したときの画像上の台形の頂点の座標データとしてもよい。例えば、画像上の台形の頂点の座標データを記憶すればよい。こうすれば、外形枠画像生成部３１が外形枠の画像データを生成する際の演算負荷が低減する。
【００８４】
（変形例３）上記実施形態では、歪補正初期データは、歪補正量記憶部３４に歪補正データが記憶されていない場合に使用するものとしたが、ユーザが所望のときに歪補正初期データを使用できるものとしてもよい。例えば、プロジェクタ１にソフトウェアとして実装する機能設定メニューに「簡易台形歪補正の候補選択」項目を設け、ユーザが入力操作部２１を操作することによって、歪補正データまたは歪補正初期データのいずれかを選択し、簡易台形歪補正の選択候補とする。こうすれば、ユーザは所望のときに歪補正初期データによる簡易台形歪補正を実施することができる。
【００８５】
（変形例４）上記実施形態では、歪補正量記憶部３４は、歪補正データおよび歪補正初期データを記憶するものとしたが、歪補正データのみを記憶するものとしてもよい。
【００８６】
（変形例５）上記実施形態では、歪補正量記憶部３４は、歪補正データおよび歪補正初期データを記憶するものとしたが、歪補正初期データのみを記憶するものとしてもよい。
【００８７】
（変形例６）上記実施形態では、簡易台形歪補正キーが入力されると簡易台形歪補正選択状態ＳＴ１１に遷移するものとしたが、簡易台形歪補正キーに限定するものではない。例えば、プロジェクタ１にソフトウェアとして実装する機能設定メニューに「簡易台形歪補正実行」項目を設け、ユーザが入力操作部２１を操作することによって、簡易台形歪補正選択状態ＳＴ１１に遷移するものとしてもよい。
【００８８】
（変形例７）上記実施形態では、台形歪補正量記憶キーが入力されると歪補正量記憶部３４に歪補正データを記憶するものとしたが、台形歪補正量記憶キーに限定するものではない。例えば、プロジェクタ１にソフトウェアとして実装する機能設定メニューに「台形歪補正量記憶実行」項目を設け、ユーザが入力操作部２１を操作することによって、歪補正量記憶部３４に歪補正データを記憶するものとしてもよい。
【００８９】
（変形例８）上記実施形態では、所定の経過時間は１時間としたが、１時間に限定するものではない。また、所定の経過時間をユーザが設定できるものとしてもよい。例えば、プロジェクタ１にソフトウェアとして実装する機能設定メニューに「簡易台形歪補正の歪補正量記憶時間設定」項目を設け、ユーザが入力操作部２１を操作することによって、所定の経過時間を変更し、設定できるものとする。こうすれば、ユーザは、プロジェクタ１に簡易台形歪補正の歪補正量を記憶させる指示信号となる所定の経過時間を自由に設定することが可能となる。
【００９０】
（変形例９）上記実施形態では、歪補正データを記憶する際に、既に歪補正量記憶領域Ｍ１に４つの歪補正データが記憶済みであった場合、最古の歪補正データを消去し、空いた領域に今回の歪補正データを書き込むものとしたが、使用頻度の最も低い歪補正データを消去し、空いた領域に今回の歪補正データを書き込むものとしてもよい。例えば、簡易台形歪補正で歪補正データを選択した回数をカウントすることにより、各歪補正データの使用頻度を測定することができる。また、簡易台形歪補正を実施後の経過時間を測定することにより、選択した歪補正データの使用時間を測定することもできる。こうすれば、簡易台形歪補正を実施する際に使用頻度を優先したいユーザにとって有益である。
【００９１】
（変形例１０）上記実施形態では、光変調部として、透過型の液晶ライトバルブ１２を用いているが、反射型の液晶ライトバルブ等、反射型の光変調部を用いることも可能である。また、入射した光の射出方向を、画素としてのマイクロミラー毎に制御することにより、光源から出射した光を変調する微小ミラーアレイデバイス等を用いることもできる。
【図面の簡単な説明】
【００９２】
【図１】本実施形態に係るプロジェクタの概略構成を示すブロック図。
【図２】液晶ライトバルブを示す正面図。
【図３】台形歪を説明するための説明図であり、画像データに対して台形歪補正を施していない状態を示す図であり、同図（ａ）は、液晶ライトバルブを光入射面側から見た正面図、同図（ｂ）は、プロジェクタが水平に投写を行う様子を示す側面図、同図（ｃ）は、スクリーンに表示される投写画像を示す正面図、同図（ｄ）は、プロジェクタがあおり投写を行う様子を示す側面図、同図（ｅ）は、スクリーンに表示される投写画像を示す正面図。
【図４】台形歪補正を説明するための説明図であり、同図（ａ）は、液晶ライトバルブを光入射面側から見た正面図、同図（ｂ）は、あおり投写を行う場合にスクリーンに表示される投写画像を示す正面図。
【図５】歪補正量記憶部の領域構成図。
【図６】簡易台形歪補正選択状態を説明するための説明図であり、同図（ａ）は、液晶ライトバルブにおける外形枠画像を光入射面側から見た正面図、同図（ｂ）は、スクリーンに表示される外形枠画像を示す正面図。
【図７】入力画像投写状態および簡易台形歪補正選択状態の状態遷移図。
【図８】プロジェクタの簡易台形歪補正への遷移処理のフローチャート。
【図９】簡易台形歪補正選択状態においてキー操作を行われたときの処理のフローチャート。
【図１０】歪補正データの記憶処理のフローチャート。
【符号の説明】
【００９３】
１…プロジェクタ、１０…画像投写部、１１…光源、１２…液晶ライトバルブ、１２ａ…画素領域、１２ｉ…画像形成領域、１２ｐ…画素、１３…投写レンズ、１４…ライトバルブ駆動部、２０…制御部、２１…入力操作部、２２…タイマ部、３０…画像信号入力部、３１…外形枠画像生成部、３２…画像信号処理部、３３…台形歪補正部、３３ａ…通常歪補正部、３３ｂ…枠歪補正部、３４…歪補正量記憶部、３５…外形枠選択部、Ｇａ…投写画像、Ｇｉ…入力画像、Ｍ１…歪補正量記憶領域、ＳＣ…スクリーン。
【図１】
2008275723.tif 000003
【図２】
2008275723.tif 000004
【図３】
2008275723.tif 000005
【図４】
2008275723.tif 000006
【図５】
2008275723.tif 000007
【図６】
2008275723.tif 000008
【図７】
2008275723.tif 000009
【図８】
2008275723.tif 000010
【図９】
2008275723.tif 000011
【図１０】
2008275723.tif 000012